(57)【要約】      （修正有）【課題】  解除ボタンのバックルボデーへの組付性が向上するバックル装置、及び解除ボタンの変形を防止又は抑制できるバックル装置を得る。【解決手段】  解除ボタン７０は、一対のアーム部７４の各幅方向一端からバックルボデー１８の底板２０側へ向けて延出された一対の延出部７６は、所定の弾性を有しており、各先端からバックルボデーの各側壁２２側へ向けて突出形成された爪部７８が、各側壁２２に形成された各長孔８０に移動可能に嵌入することで、解除ボタン７０がバックルボデー１８に組み付けられている。、従って、解除ボタン７０をバックルボデー１８に組み付ける際に、一対の延出部７６を撓ませることで各爪部７８をバックルボデー１８の各長孔８０に嵌入させることが出来る。又、一対のアーム部７４の各先端は、両者に掛け渡された連結部８２によって連結されており、この連結部８２によって解除ボタン７０の剛性が向上している。【選択図】  図１
2006122553.tif 000002
【特許請求の範囲】
【請求項１】
長尺な板状に形成された底板と該底板の幅方向両端から延出された一対の側壁とを有する断面コ字状に形成され、前記底板の長手方向一端側から前記一対の側壁間にタングプレートが挿入されて保持されると共に、前記タングプレートの挿入方向に沿った長孔が前記一対の側壁にそれぞれ形成されたバックルボデーと、
前記バックルボデーの長手方向一端側に前記タングプレートの挿入方向に沿って移動可能に設けられ、前記挿入方向に沿って押圧操作される操作部と該操作部の幅方向両端から前記挿入方向へ向けて延出された一対のアーム部とを有し、前記操作部が押圧操作されることで前記タングプレートの前記保持を解除させる解除ボタンと、
を備えたバックル装置において、
前記解除ボタンは、
所定の弾性を有し、前記一対のアーム部の各幅方向一端から前記底板側へ向けて延出された一対の延出部と、
前記一対の延出部の各先端から前記各側壁側へ向けて突出し、前記各長孔に移動可能に嵌入する爪部と、
を有する、
ことを特徴とするバックル装置。
【請求項２】
前記爪部は、前記底板側へ向けて薄厚な楔状に形成されている、
ことを特徴とする請求項１記載のバックル装置。
【請求項３】
押圧操作される操作部と該操作部の幅方向両端から操作方向に沿って延出された一対のアーム部とを有する解除ボタンを備え、前記操作部が押圧操作されることでタングプレートの保持を解除するバックル装置において、
前記解除ボタンは、前記一対のアーム部の各先端に掛け渡されて両者を連結する連結部を有する、
ことを特徴とするバックル装置。
【請求項４】
長尺な板状に形成された底板と該底板の幅方向両端から延出された一対の側壁とを有する断面コ字状に形成され、前記底板の長手方向一端側から前記一対の側壁間にタングプレートが挿入されて保持されると共に、前記タングプレートの挿入方向に沿った長孔が前記一対の側壁にそれぞれ形成されたバックルボデーと、
前記バックルボデーの長手方向一端側に前記タングプレートの挿入方向に沿って移動可能に設けられ、前記挿入方向に沿って押圧操作される操作部と該操作部の幅方向両端から前記挿入方向へ向けて延出された一対のアーム部とを有し、前記操作部が押圧操作されることで前記タングプレートの前記保持を解除させる解除ボタンと、
を備えたバックル装置において、
前記解除ボタンは、
所定の弾性を有し、前記一対のアーム部の各幅方向一端から前記底板側へ向けて延出された一対の延出部と、
前記一対の延出部の各先端から前記各側壁側へ向けて突出し、前記各長孔に移動可能に嵌入する爪部と、
前記一対のアーム部の各先端に掛け渡されて両者を連結する連結部と、
を有する、
ことを特徴とするバックル装置。
【発明の詳細な説明】
【技術分野】
【０００１】
本発明は、車両のシートベルト装置を構成し、ウエビングに取り付けられたタングプレートを保持するためのバックル装置に関する。
【背景技術】
【０００２】
バックル装置としては、フレームを構成するバックルボデーと、バックルボデー内に挿入されたタングプレートに対して接離移動可能なロックプレートと、バックルボデーに所定範囲移動可能に取り付けられた解除ボタンと、を備えたものがある（例えば、特許文献１参照）。
【０００３】
前記特許文献に示されたバックル装置では、タングプレートをバックルボデー（バックルベース）内に挿入すると、ロックプレート（ラッチ）がタングプレートに接近して係合することにより、バックルボデーにタングプレートが保持されるようになっている。また、解除ボタン（プレスボタン）が押圧操作されると、ロックプレートがタングプレートから離間して上記保持が解除されるようになっている。
【０００４】
ところで、上記構成のバックル装置では、解除ボタンは、乗員によって押圧操作される操作部と、操作部の幅方向両端から操作方向に沿って延出された一対のアーム部と、を備えている。一対のアーム部の各先端には、互いに対向する方向に突出したガイド突起が形成されており、これらのガイド突起がバックルボデーの側壁に形成された長孔に移動可能に嵌入することで、解除ボタンがバックルボデーに取り付けられる構成となっている。
【０００５】
しかしながら、上記構成のバックル装置では、バックルボデーに解除ボタンを組み付ける際には、一対のアーム部を互いに離間する方向に大きく撓ませなければ各ガイド突起をバックルベースの各長孔に嵌入できないため、組付性が悪いという問題がある。
【０００６】
また、上記構成のバックル装置では、解除ボタンの操作部が押圧操作される際に、押圧荷重が操作部の幅方向一端側（一方のアーム部側）に片寄って付与されると、一方のアーム部と他方のアーム部が操作方向に沿って互い違いに変位し、解除ボタンに歪みが発生する。この解除ボタンの歪みが大きいと、解除ボタンの操作ストロークが充分に確保されず、タングプレートの保持を確実に解除できない場合がある。このため、上記構成のバックル装置では、解除ボタンの操作ストロークを予め長めに設定する必要があり、装置が大型化する原因となっている。
【特許文献１】特開平５−２７８５６４号公報
【発明の開示】
【発明が解決しようとする課題】
【０００７】
本発明は上記事実を考慮し、解除ボタンのバックルボデーへの組付性が向上するバックル装置を得ることを目的とする。
【０００８】
また、本発明は上記事実を考慮し、解除ボタンの変形を防止又は抑制できるバックル装置を得ることを目的とする。
【課題を解決するための手段】
【０００９】
請求項１に係る発明のバックル装置は、長尺な板状に形成された底板と該底板の幅方向両端から延出された一対の側壁とを有する断面コ字状に形成され、前記底板の長手方向一端側から前記一対の側壁間にタングプレートが挿入されて保持されると共に、前記タングプレートの挿入方向に沿った長孔が前記一対の側壁にそれぞれ形成されたバックルボデーと、前記バックルボデーの長手方向一端側に前記タングプレートの挿入方向に沿って移動可能に設けられ、前記挿入方向に沿って押圧操作される操作部と該操作部の幅方向両端から前記挿入方向へ向けて延出された一対のアーム部とを有し、前記操作部が押圧操作されることで前記タングプレートの前記保持を解除させる解除ボタンと、を備えたバックル装置において、前記解除ボタンは、所定の弾性を有し、前記一対のアーム部の各幅方向一端から前記底板側へ向けて延出された一対の延出部と、前記一対の延出部の各先端から前記各側壁側へ向けて突出し、前記各長孔に移動可能に嵌入する爪部と、を有する、ことを特徴としている。
【００１０】
請求項１記載のバックル装置では、バックルボデーは、底板と一対の側壁とを有する断面コ字状に形成されており、タングプレートは、底板の長手方向一端側から一対の側壁間に挿入されて保持される。バックルボデーの長手方向一端側（タングプレートが挿入される側）には、解除ボタンが設けられている。この解除ボタンは、操作部と該操作部の幅方向両端からタングプレートの挿入方向に沿って延出された一対のアーム部とを有しており、操作部がタングプレートの挿入方向に沿って押圧操作されると、タングプレートの保持が解除される。
【００１１】
ここで、この解除ボタンは、一対のアーム部の各幅方向一端からバックルボデーの底板側へ向けて延出された一対の延出部を有している。これら一対の延出部の各先端からは、バックルボデーの各側壁側へ向けて爪部が突出形成されている。各爪部はバックルボデーの一対の側壁に形成された長孔に移動可能に嵌入しており、これにより、解除ボタンがバックルボデーに保持されると共に、解除ボタンの操作方向が案内される。
【００１２】
しかも、一対の延出部は所定の弾性を有しているため、解除ボタンをバックルボデーに組み付ける際に、従来のバックル装置の如く一対のアーム部を互いに離間する方向へ大きく撓ませなくとも、一対の延出部を撓ませることで各爪部をバックルボデーの各長孔に嵌入させることができる。これにより、解除ボタンをバックルボデーに容易に組み付けることができる。
【００１３】
このように、請求項１記載のバックル装置では、解除ボタンのバックルボデーへの組付性が向上する。
【００１４】
請求項２に係る発明のバックル装置は、請求項１記載のバックル装置において、前記爪部は、前記底板側へ向けて薄厚な楔状に形成されている、ことを特徴としている。
【００１５】
請求項２記載のバックル装置では、解除ボタンの爪部は、バックルボデーの底板側へ向けて薄厚な楔状に形成されている。すなわち、延出部及び爪部は所謂「スナップフィット」の如く構成されているため、解除ボタンをバックルボデーに組み付ける際に、一対の側壁の底板とは反対側から解除ボタンを底板側へ向けて押し付ければ、楔状の爪部とバックルボデーの側壁との摺接によって各延出部には撓み変形する方向の分力が生じる。これにより、解除ボタンを一層容易にバックルボデーに組み付けることができる。
【００１６】
このように、請求項２記載のバックル装置では、解除ボタンのバックルボデーへの組付性が一層向上する。
【００１７】
請求項３に係る発明のバックル装置は、押圧操作される操作部と該操作部の幅方向両端から操作方向に沿って延出された一対のアーム部とを有する解除ボタンを備え、前記操作部が押圧操作されることでタングプレートの保持を解除するバックル装置において、前記解除ボタンは、前記一対のアーム部の各先端に掛け渡されて両者を連結する連結部を有する、ことを特徴としている。
【００１８】
請求項３記載のバックル装置では、解除ボタンの操作部の幅方向両端からは、操作部の操作方向に沿って一対のアーム部が延出されている。一対のアーム部の各先端は、両者に掛け渡された連結部によって連結されており、この連結部によって解除ボタンの剛性が向上している。このため、例えば、操作部の幅方向一端側（一方のアーム部側）に片寄って押圧荷重が付与された場合でも、解除ボタンが変形することが防止又は抑制される（一対のアーム部が操作方向に沿って互い違いに変位することが防止又は抑制される）。
【００１９】
このように、請求項３記載のバックル装置では、解除ボタンの変形を防止又は抑制できる。
【００２０】
請求項４に係る発明のバックル装置は、長尺な板状に形成された底板と該底板の幅方向両端から延出された一対の側壁とを有する断面コ字状に形成され、前記底板の長手方向一端側から前記一対の側壁間にタングプレートが挿入されて保持されると共に、前記タングプレートの挿入方向に沿った長孔が前記一対の側壁にそれぞれ形成されたバックルボデーと、前記バックルボデーの長手方向一端側に前記タングプレートの挿入方向に沿って移動可能に設けられ、前記挿入方向に沿って押圧操作される操作部と該操作部の幅方向両端から前記挿入方向へ向けて延出された一対のアーム部とを有し、前記操作部が押圧操作されることで前記タングプレートの前記保持を解除させる解除ボタンと、を備えたバックル装置において、前記解除ボタンは、所定の弾性を有し、前記一対のアーム部の各幅方向一端から前記底板側へ向けて延出された一対の延出部と、前記一対の延出部の各先端から前記各側壁側へ向けて突出し、前記各長孔に移動可能に嵌入する爪部と、前記一対のアーム部の各先端に掛け渡されて両者を連結する連結部と、を有する、ことを特徴としている。
【００２１】
請求項４記載のバックル装置は、請求項１記載のバックル装置と基本的に同様の構成とされており、解除ボタンは、一対の延出部と、これら一対の延出部の各先端に突出形成された爪部とを有している。したがって、請求項１記載のバックル装置と同様に、解除ボタンのバックルボデーへの組付性が向上する。
【００２２】
しかも、請求項４記載のバックル装置では、解除ボタンは、請求項３記載のバックル装置の解除ボタンと同様に、一対のアーム部の各先端を連結する連結部を有している。したがって、請求項３記載のバックル装置と同様に、解除ボタンの変形を防止又は抑制できる。
【００２３】
このように、請求項４記載のバックル装置では、解除ボタンのバックルボデーへの組付性が向上すると共に、解除ボタンの変形を防止又は抑制できる。
【発明の効果】
【００２４】
以上説明した如く、本発明は以下の効果を有している。
【００２５】
請求項１に係る発明のバックル装置では、解除ボタンのバックルボデーへの組付性が向上する。
【００２６】
請求項２に係る発明のバックル装置では、解除ボタンのバックルボデーへの組付性がより一層向上する。
【００２７】
請求項３に係る発明のバックル装置では、解除ボタンの変形を防止又は抑制できる。
【００２８】
請求項４に係る発明のバックル装置では、解除ボタンのバックルボデーへの組付性が向上すると共に、解除ボタンの変形を防止又は抑制できる。
【発明を実施するための最良の形態】
【００２９】
図５には、本発明の実施の形態に係るバックル装置１０の構成が分解斜視図にて示されている。また、図４には、このバックル装置１０の構成が断面図にて示されている。
【００３０】
図４に示されるように、バックル装置１０は、ケース１２を備えている。ケース１２は、長手方向両端が開口した箱形の筒状に形成されており、その長手方向一端側の開口はタング挿入口１４とされ、長手方向他端側の開口はアンカ挿入口１６とされている。また、ケース１２の内側にはバックルボデー１８が収容されている。
【００３１】
バックルボデー１８は、ケース１２の長手方向に沿って長尺な平板状に形成された底板２０と、底板２０の幅方向両端から底板２０の板厚方向一側（矢印Ｃ方向側）へ向けて一体的に延出された一対の側壁２２とを有しており、全体として断面コ字状に形成されている。このバックルボデー１８には、ケース１２のタング挿入口１４から挿入されたタングプレート２４の挿入板部２６が、底板２０の長手方向一端側（矢印Ｂ方向側）から一対の側壁２２間に挿入されるようになっている。
【００３２】
また、底板２０の長手方向他端側（矢印Ａ方向側）には、ケース１２のアンカ挿入口１６から挿入されたアンカプレート２８の先端部が重ね合わされており、底板２０とアンカプレート２８とを貫通するリベット３０によって両者が連結固定されている。アンカプレート２８の基端側は、車両の座席の側方で車体（いずれも図示省略）に固定されており、これにより、本バックル装置１０が車両に取り付けられている。
【００３３】
さらに、一対の側壁２２の間にはイジェクタ３２が配置されている。イジェクタ３２の一部は底板２０に形成された略矩形の貫通孔３４に係合している。貫通孔３４は、底板２０の長手方向に沿って長尺に形成されており、イジェクタ３２は貫通孔３４に沿って底板２０の長手方向に所定範囲スライド可能とされている。
【００３４】
また、貫通孔３４の長手方向一端側（矢印Ａ方向側）の内周部には、係合突起３６が突出形成されており、圧縮コイルスプリングであるイジェクタスプリング３８の一端が係止されている。イジェクタスプリング３８の他端はイジェクタ３２に係止されており、イジェクタ３２はイジェクタスプリング３８の付勢力によって底板２０の長手方向一端側（矢印Ｂ方向側）へ付勢されている。
【００３５】
このイジェクタ３２は、一対の側壁２２間に挿入されるタングプレート２４の挿入板部２６に押圧されることで、イジェクタスプリング３８の付勢力に抗して底板２０の長手方向他端側へスライドされるようになっている（図３図示状態）。
【００３６】
一方、本バックル装置１０は、ロックプレート４０を備えている。ロックプレート４０は、底板２０の長手方向に沿って長尺な板状に形成された本体部４２を備えている。本体部４２の基端（矢印Ａ方向側の端部）には、幅方向両側へ突出する一対の支持部４４が形成されている。一対の支持部４４は、バックルボデー１８の各側壁２２に形成された支持孔４６に入り込んでおり、ロックプレート４０は一対の側壁２２によって一対の支持部４４（支持孔４６）周りに所定角度回動可能に支持されている。
【００３７】
また、本体部４２の基端側には、幅方向両端から底板２０側（矢印Ｄ方向側）へ向けて一対の腕部４８が延出されている。一対の腕部４８は、各先端側がイジェクタ３２のスライド軌跡上に位置するように形成されており、イジェクタ３２が底板２０の長手方向他端側（矢印Ａ方向側）へスライドすると、イジェクタ３２によって一対の腕部４８が底板２０の長手方向他端側へ押圧され、本体部４２（ロックプレート４０）が底板２０側（矢印Ｄ方向側）へ回動するようになっている。
【００３８】
本体部４２の先端（矢印Ｂ方向側の端部）からは、本体部４２の板厚方向片側（底板２０側、矢印Ｄ方向側）へ向けて係合片５０が延出されている。係合片５０は、その先端側（矢印Ｄ方向側）が底板２０の長手方向一端側（矢印Ｂ方向側）へ向けて僅かに傾斜して形成されている。また、この係合片５０の先端部は、底板２０に形成された貫通孔３４に対応しており、ロックプレート４０が底板２０側へ回動することにより、係合片５０が貫通孔３４及び一対の側壁２２間に挿入された挿入板部２６の係合孔２６Ａを貫通してタングプレート２４の抜き出しを規制する（タングプレート２４を保持する）ようになっている。
【００３９】
ロックプレート４０の係合片５０に対応して上述したイジェクタ３２の厚さ方向一側（矢印Ｃ方向側）の面には、載置部３２Ａが形成されている。この載置部３２Ａは、一対の側壁２２間にタングプレート２４が挿入されていない状態、すなわち、イジェクタ３２がイジェクタスプリング３８の付勢力によって貫通孔３４の長手方向他端側（矢印Ｂ方向側）に保持されている状態では、係合片５０の先端部に干渉してロックプレート４０の底板２０側への回動を規制するようになっている。
【００４０】
さらに、本体部４２の先端からは、係合片５０の幅方向両側において、一対の当接片５２が底板２０の長手方向一端側（矢印Ｂ方向側）へ向けて延設されている。これら一対の当接片５２は、ロック部材５４に対応している。
【００４１】
ロック部材５４は、ロックプレート４０の本体部４２を介して底板２０とは反対側に配置されており、一対の側壁２２の対向方向に沿って長手方向とされた略三角柱状のカム部５６と、カム部５６の上端部（矢印Ｃ方向側の端部）をその長手方向に沿って貫通するシャフト５８とを備えている。
【００４２】
シャフト５８の軸線方向両端部は、一対の側壁２２に形成された係合孔６０に入り込んでおり、カム部５６はシャフト５８の軸線周りに回動可能に一対の側壁２２に支持されている。
【００４３】
カム部５６の上端側（底板２０とは反対側、矢印Ｃ方向側）には、略板状の被押圧部６２が底板２０とは反対側（矢印Ｃ方向側）へ向けて一体的に突出形成されている。この被押圧部６２は、後述する解除ボタン７０に対応している。
【００４４】
また、カム部５６の下端側（底板２０側、矢印Ｄ方向側）には、シャフト５８と同心の円弧状に形成されたロック面５６Ａが形成されている。このロック面５６Ａは、図３に示す如く、ロックプレート４０が底板２０側へ回動した状態（タングプレート２４の挿入板部２６が一対の側壁２２間に挿入された状態）では、ロックプレート４０の当接片５２の表面（矢印Ｃ方向側の面）に当接するようになっている。
【００４５】
さらに、カム部５６の厚さ方向一端側（矢印Ａ方向側）には、当接面５６Ｂが形成されている。この当接面５６Ｂは、図４に示す如く、ロックプレート４０が底板２０から離間した状態（タングプレート２４の挿入板部２６が一対の側壁２２間から抜け出した状態）では、ロックプレート４０の当接片５２の先端に当接するようになっている。
【００４６】
また、カム部５６の厚さ方向他端側（矢印Ｂ方向側）には、ホルダ６４が取り付けられている。ホルダ６４にはカム部５６と反対側へ向けて係止突起６６が突出形成されており、圧縮コイルスプリングであるロックスプリング６８の一端が係止されている。ロックスプリング６８の他端は、バックルボデー１８の長手方向一端側（矢印Ｂ方向側）に設けられた解除ボタン７０に対応している。
【００４７】
解除ボタン７０は、樹脂材料によって成形されたものであり、図１及び図２にも示す如く、乗員によって押圧操作される操作部７２を有している。操作部７２は、バックルボデー１８の長手方向他端側（矢印Ａ方向側）へ向けて開口した箱状に形成されており、内側の底壁部分にロックスプリング６８の他端が圧接されている。これにより、ホルダ６４及びロック部材５４が操作部７２から離間する方向（矢印Ａ方向）へ付勢されている。
【００４８】
操作部７２の幅方向両端からは、底板２０の長手方向他端側（タングプレート２４の挿入方向でかつ操作部７２の操作方向、矢印Ａ方向）へ向けて一対のアーム部７４が延出されている。一対のアーム部７４は、一対の側壁２２の外側に配置されており、一対の側壁２２の対向方向（図１、図３及び図４では紙面に垂直な方向）に沿って互いに対向して形成されている。
【００４９】
一対のアーム部７４の各先端（矢印Ａ方向側の端部）における各幅方向一端（矢印Ｄ方向側の端部）からは、それぞれ底板２０側（矢印Ｄ方向側）へ向けて延出部７６が延出されている。これら一対の延出部７６は、所定の弾性を有しており、一対の側壁２２の対向方向に沿って互いに対向して形成されている。
【００５０】
一対の延出部７６の各先端には、それぞれ各側壁２２側（対向方向内側）へ向けて突出する爪部７８が形成されている。これらの爪部７８は、底板２０側（矢印Ｄ方向側）へ向けて薄厚な楔状に形成されており、一対の側壁２２にそれぞれ形成された長孔８０に嵌入している。これらの長孔８０は、タングプレート２４の挿入方向（矢印Ａ方向）に沿って長尺に形成されている。各爪部７８は長孔８０の内周部によって底板２０の長手方向に沿って所定範囲移動可能とされており、これにより、長孔８０によって解除ボタン７０の移動方向（操作方向）が底板２０の長手方向に規制されている。
【００５１】
また、一対のアーム部７４の各先端には、これらの対向方向に沿って長尺な略棒状に形成された連結部８２が掛け渡されており、この連結部８２によって一対のアーム部７４の各先端部が連結されている。
【００５２】
さらに、解除ボタン７０は、操作部７２の上端側（矢印Ｃ方向側）において、底板２０の長手方向他端側（矢印Ａ方向側）へ向けて突出する押圧部８４が形成されている。押圧部８４は、前述したロック部材５４の被押圧部６２に対向して配置されており、解除ボタン７０が押圧操作された際には、押圧部８４によって被押圧部６２が底板２０の長手方向他端側（矢印Ａ方向側）へ押圧され、ロック部材５４のカム部５６がシャフト５８周りに底板２０の長手方向一端側（矢印Ｂ方向側）へ回動するようになっている。
【００５３】
次に、本実施の形態の作用を説明する。
【００５４】
上記構成のバックル装置１０では、図４に示される非装着状態でタングプレート２４の挿入板部２６がケース１２のタング挿入口１４から挿入されると、図３に示されるように、挿入板部２６の先端がイジェクタ３２の端部に当接して押圧し、イジェクタスプリング３８の付勢力に抗してイジェクタ３２を貫通孔３４の長手方向一端側（矢印Ａ方向側）へスライドさせる。
【００５５】
イジェクタ３２が貫通孔３４の長手方向一端側へ所定量スライドすると、イジェクタ３２の載置部３２Ａとロックプレート４０の係合片５０との対向状態が解除されると共に、イジェクタ３２がロックプレート４０の一対の腕部４８を押圧して、ロックプレート４０を底板２０側へ回動させる。
【００５６】
これにより、係合片５０の先端部が底板２０へ接近移動する。また、この状態では、挿入板部２６の係合孔２６Ａと、底板２０に形成された貫通孔３４とが重なり合う。したがって、この状態では図３に示されるように、回動した係合片５０が挿入板部２６の係合孔２６Ａと底板２０の貫通孔３４とを貫通する。
【００５７】
また、ロックプレート４０が回動することで、ロックプレート４０の当接片５２とロック部材５４の当接面５６Ｂとの当接状態が解除される。ここで、ロック部材５４はホルダ６４を介してロックスプリング６８の付勢力を受けているため、ロックプレート４０の回動に連動するようにロックスプリング６８の付勢力でロック部材５４のカム部５６が底板２０の長手方向他端側（矢印Ａ方向側）へ回動し、カム部５６のロック面５６Ａが当接片５２の表面（矢印Ｃ方向側の面）に当接する（図３図示状態）。このため、係合片５０が底板２０から離間する方向へのロックプレート４０の回動が規制され、これにより、バックル装置１０に対するタングプレート２４の装着状態（保持状態）となる。
【００５８】
一方、上記タングプレート２４の装着状態で、解除ボタン７０の操作部７２が押圧操作されると、ロック部材５４の被押圧部６２が解除ボタン７０の押圧部７２によって底板２０の長手方向他端側（矢印Ａ方向側）へ押圧され、ロック部材５４のカム部５６が、ロックスプリング６８の付勢力に抗して底板２０の長手方向一端側（矢印Ｂ方向側）へ回動される。
【００５９】
このため、カム部５６のロック面５６Ａとロックプレート４０の当接片５２との当接状態が解除され、ロック部材５４によるロックプレート４０の回動規制が解除される。しかも、ロックプレート４０の係合片５０には、タングプレート２４の挿入板部２６及びイジェクタ３２を介してイジェクタスプリング３８の付勢力が作用しているため、係合片５０には底板２０から離間する方向の分力が作用する。このため、ロックプレート４０は係合片５０に作用する分力によって底板２０から離間され、係合片５０によるタングプレート４０の保持が解除される。これにより、イジェクタスプリング３８の付勢力によってイジェクタ３２が貫通孔３４の長手方向他端側（矢印Ｂ方向側）へスライドされると共に、当該イジェクタ３２のスライドによってタングプレート４０の挿入板部２６がケース１２のタング挿入口１４から排出される。
【００６０】
ここで、本実施の形態に係るバックル装置１０では、解除ボタン７０は、一対のアーム部７４の各幅方向一端からバックルボデー１８の底板２０側へ向けて延出された一対の延出部７６を有している。これら一対の延出部７６は、所定の弾性を有しており、各先端からバックルボデーの各側壁２２側へ向けて突出形成された爪部７８が、各側壁２２に形成された各長孔８０に移動可能に嵌入することで、解除ボタン７０がバックルボデー１８に組み付けられる構成である。
【００６１】
したがって、解除ボタン７０をバックルボデー１８に組み付ける際に、従来のバックル装置のように一対のアーム部７４を互いに離間する方向へ大きく撓ませなくとも、一対の延出部７６を撓ませることで各爪部７８をバックルボデー１８の各長孔８０に嵌入させることができる。これにより、解除ボタン７０をバックルボデー１８に容易に組み付けることができる。
【００６２】
しかも、解除ボタン７０の爪部７８は、バックルボデー１８の底板２０側へ向けて薄厚な楔状に形成されている。すなわち、延出部７６及び爪部７８は所謂「スナップフィット」の如く構成されているため、解除ボタン７０をバックルボデー１８に組み付ける際に、一対の側壁２２の底板２０とは反対側から解除ボタン７０を底板２０側（矢印Ｄ方向側）へ向けて押し付ければ、楔状の爪部７８とバックルボデー１８の側壁２２との摺接によって各延出部７６には互いに離間する方向の分力が生じる。これにより、解除ボタン７０を一層容易にバックルボデー１８に組み付けることができる。
【００６３】
さらに、一対のアーム部７４の各先端は、両者に掛け渡された連結部８２によって連結されており、この連結部８２によって解除ボタン７０の剛性が向上している。このため、例えば、操作部７２の幅方向一端側（一方のアーム部７４側）に片寄って押圧荷重が付与された場合でも、解除ボタン７０が変形することが防止又は抑制される（一対のアーム部７４が操作方向に沿って互い違いに変位することが防止又は抑制される）。したがって、従来のバックル装置のように、解除ボタン７０の変形を考慮して、解除ボタン７０の操作ストロークを長めに設定する必要がなく、これにより、装置の小型・軽量化を図ることも可能となる。
【００６４】
なお、解除ボタン７０をバックルボデー１８に組み付ける際には、連結部８２の中央部分を底板２０側へ押し付けることで、一対の延出部７６を撓ませることができる。
【００６５】
以上説明した如く、本発明の実施の形態に係るバックル装置１０では、解除ボタン７０のバックルボデー１８への組付性が向上すると共に、解除ボタン７０の変形を防止又は抑制できる。
【図面の簡単な説明】
【００６６】
【図１】本発明の実施の形態に係るバックル装置のバックルボデーと解除ボタンの構成を示す側面図である。
【図２】本発明の実施の形態に係るバックル装置の解除ボタンの構成を背面図である。
【図３】本発明の実施の形態に係るバックル装置の全体構成を示す断面図である。
【図４】本発明の実施の形態に係るバックル装置の全体構成を示す断面図である。
【図５】本発明の実施の形態に係るバックル装置の全体構成を示す分解斜視図である。
【符号の説明】
【００６７】
１０      バックル装置
１８      バックルボデー
２０      底板
２２      一対の側壁
２４      タングプレート
７０      解除ボタン
７２      操作部
７４      一対のアーム部
７６      一対の延出部
７８      爪部
８０      長孔
８２      連結部
【図１】
2006122553.tif 000003
【図２】
2006122553.tif 000004
【図３】
2006122553.tif 000005
【図４】
2006122553.tif 000006
【図５】
2006122553.tif 000007